(57)【要約】【課題】商用電源の両極にリレーが設けられた構成において、導通不良となったリレーを特定可能な電源装置を提供する。【解決手段】定着装置３００は、商用電源５００の一方の極に設けられる第１リレー１と、商用電源５００の他方の極に設けられる第２リレー２と、商用電源５００から供給される交流電圧のゼロクロス検知を行うゼロクロス検知回路４０１と、ヒータ７の温度を検知する温度検知部ＴＨ１と、第１リレー１及び第２リレー２の導通を制御する制御部４００と、を備える。制御部４００は、第１リレー１及び第２リレー２を導通するように制御しているときに、ゼロクロス検知の結果及びヒータ７の温度に基づいて、第１リレー１及び第２リレー２の導通不良の発生を判断する。【選択図】図２
2018181643.tif 000002
【特許請求の範囲】
【請求項１】
商用電源の一方の極と前記商用電源から電力が供給される負荷との間の第１経路に設けられる第１開閉手段と、
前記商用電源の他方の極と前記負荷との間の第２経路に設けられる第２開閉手段と、
前記第１開閉手段と前記負荷との間に一端が接続され、且つ前記商用電源と前記第２開閉手段との間に他端が接続され、前記第１開閉手段の導通を検知する導通検知手段と、
前記負荷に電力が供給されていることを検知する供給検知手段と、
前記第１開閉手段及び前記第２開閉手段の導通を制御する制御手段と、
前記制御手段が前記第１開閉手段及び前記第２開閉手段を導通するように制御しているときに、前記導通検知手段及び前記供給検知手段のそれぞれの検知結果に基づいて、前記第１開閉手段及び前記第２開閉手段の導通不良の発生を判断する判断手段と、を備えることを特徴とする、
電源装置。
【請求項２】
前記判断手段は、前記制御手段が前記第１開閉手段及び前記第２開閉手段を導通するように制御しているときに、前記導通検知手段が前記第１開閉手段の導通を検知しなければ、前記第１開閉手段に導通不良が発生していると判断することを特徴とする、
請求項１記載の電源装置。
【請求項３】
前記導通検知手段は、前記商用電源から交流電圧が印加されることでゼロクロス検知を行うゼロクロス検知手段であり、
前記判断手段は、前記導通検知手段がゼロクロス検知によりゼロクロス検知信号を出力する場合に、前記第１開閉手段が導通していると判断し、ゼロクロス検知信号を出力していない場合に、前記第１開閉手段に導通不良が発生していると判断することを特徴とする、
請求項１又は２記載の電源装置。
【請求項４】
前記判断手段は、前記制御手段が前記第１開閉手段及び前記第２開閉手段を導通するように制御しているときに、前記供給検知手段が前記負荷への電力の供給を検知しなければ、前記第２開閉手段に導通不良が発生していると判断することを特徴とする、
請求項１〜３のいずれか１項記載の電源装置。
【請求項５】
前記判断手段は、前記第１開閉手段が導通していると判断した場合に、前記第２開閉手段の導通不良の発生を判断することを特徴とする、
請求項１〜３のいずれか１項記載の電源装置。
【請求項６】
前記供給検知手段は、前記負荷に供給される電圧に基づいて前記負荷に電力が供給されていることを検知することを特徴とする、
請求項１〜５のいずれか１項記載の電源装置。
【請求項７】
前記供給検知手段は、前記負荷がヒータである場合に、前記ヒータの温度に基づいて前記負荷に電力が供給されていることを検知することを特徴とする、
請求項１〜５のいずれか１項記載の電源装置。
【請求項８】
前記第２開閉手段と前記負荷との間の経路に設けられる第３開閉手段と、
前記第３開閉手段のショート故障の有無を検知する検知手段と、を備え、
前記制御手段は、前記第３開閉手段の導通を制御し、
前記判断手段は、前記制御手段が前記第３開閉手段を導通するように制御し、前記検知手段が前記第３開閉手段のショート故障を検知しない場合に、前記第２開閉手段の導通不良の発生を判断することを特徴とする、
請求項７記載の電源装置。
【請求項９】
前記制御手段は、前記判断手段が前記第１開閉手段に導通不良が発生していると判断した場合に、前記第２開閉手段を導通するように制御したまま、前記第１開閉手段を遮断させた後に導通させるリトライ動作を行い、
前記判断手段が前記第２開閉手段に導通不良が発生していると判断した場合に、前記第１開閉手段を導通するように制御したまま、前記第２開閉手段を遮断させた後に導通させるリトライ動作を行うことを特徴とする、
請求項１〜８のいずれか１項記載の電源装置。
【請求項１０】
前記制御手段は、前記リトライ動作を所定回数行った後に前記判断手段が前記第１開閉手段及び前記第２開閉手段のいずれかに導通不良が発生していると判断する場合に、所定の表示手段にエラーを表示させることを特徴とする、
請求項９記載の電源装置。
【請求項１１】
前記第１開閉手段及び前記第２開閉手段はリレーであり、
前記制御手段は、前記第１開閉手段及び前記第２開閉手段のそれぞれに導通制御のための制御信号を送信することを特徴とする、
請求項１〜１０のいずれか１項記載の電源装置。
【請求項１２】
所定の記録材に画像を形成する画像形成手段と、
前記画像形成手段に電力を供給する請求項１〜１１のいずれか１項記載の電源装置と、を備えることを特徴とする、
画像形成装置。
【発明の詳細な説明】
【技術分野】
【０００１】
本発明は、リレー等の開閉器を備えた電源装置に関する。
【背景技術】
【０００２】
電気機器に用いられる電源装置は、商用電源から電力が供給される供給経路の導通を制御するために、供給経路上にリレー等の開閉器が設けられる。リレーは、ケース内に異物が混入することがある。ケース内に混入した異物は、振動や静電気等によってリレーの接点部に付着することがある。接点部に異物が付着した状態では、リレーの接点間の導通不良が生じる場合がある。この場合、リレーが動作エラーとなり、電気機器が稼働できなくなることがある。
【０００３】
リレーの導通不良が生じた場合、従来から、リトライ動作により導通不良を解消することが行われている。リトライ動作は、リレーの接点間に電位差がある状態でリレーを遮断させた後直ちに導通させるようリレー制御信号を出力することで実行される。リトライ動作を行うことで、リレーの接点が接近するときに発生するアーク放電により、異物が、焼損したり跳ね飛ばされて除去される。リトライ動作で異物が除去されることにより、リレーの接点間の導通が復活し、電気機器が再稼働できる。特許文献１、２は、リレーの導通不良を検知した場合に、このようなリトライ動作を行う構成を開示する。
【先行技術文献】
【特許文献】
【０００４】
【特許文献１】特開２００８−０７２８３９号公報
【特許文献２】特開平１１−２７３５２４号公報
【発明の概要】
【発明が解決しようとする課題】
【０００５】
商用電源からの電力の供給経路にリレーを設ける構成には、商用電源のＬ（非接地極）側とＮ（接地極）側のいずれか一方の極にリレーを設ける構成と、Ｌ側とＮ側の両極にリレーを設ける構成とがある。一方の極にリレーを設ける構成の場合、リレーを導通制御した後の電気機器の稼働の有無により、リレーに導通不良が発生しているか否かが検知できる。両極にリレーを設ける構成の場合、一方のリレーが導通不良になると電気機器が稼働できないため、電気機器が稼働の有無からは、どちらのリレーに異常が発生しているのかを特定することができない。
【０００６】
両極にリレーを設ける構成でリトライ動作を行う場合、一方の極側のリレーを導通した状態で他方の極側のリレーの導通、遮断を繰り返すことで、アーク放電による異物除去が行われる。すなわち、後に導通する極側のリレーの接点間しかアーク放電が発生しない。両極のリレーに対してアーク放電による異物除去を行うためには、両極のリレーを交互にリトライ動作させたり、あるいは１つずつリトライ動作を行う必要がある。そのために、一方の極にのみリレーが設けられた構成に比べて、リトライ動作に必要な時間が長くなる。この結果、電気機器の再稼働までの復帰時間がかかってしまう。
【０００７】
本発明は、上記の問題に鑑み、商用電源からの電力の供給経路の両極にリレーが設けられた構成において、導通不良となったリレーを効率的に特定可能な電源装置を提供することを主たる課題とする。
【課題を解決するための手段】
【０００８】
本発明の電源装置は、商用電源の一方の極と前記商用電源から電力が供給される負荷との間の第１経路に設けられる第１開閉手段と、前記商用電源の他方の極と前記負荷との間の第２経路に設けられる第２開閉手段と、前記第１開閉手段と前記負荷との間に一端が接続され、且つ前記商用電源と前記第２開閉手段との間に他端が接続され、前記第１開閉手段の導通を検知する導通検知手段と、前記負荷に電力が供給されていることを検知する供給検知手段と、前記第１開閉手段及び前記第２開閉手段の導通を制御する制御手段と、前記制御手段が前記第１開閉手段及び前記第２開閉手段を導通するように制御しているときに、前記導通検知手段及び前記供給検知手段のそれぞれの検知結果に基づいて、前記第１開閉手段及び前記第２開閉手段の導通不良の発生を判断する判断手段と、を備えることを特徴とする。
【発明の効果】
【０００９】
本発明によれば、商用電源からの電力の供給経路の両極にそれぞれリレーが設けられた構成において、導通不良となったリレーを効率的に特定することができる。
【図面の簡単な説明】
【００１０】
【図１】画像形成装置の説明図。
【図２】定着電源の説明図。
【図３】正常動作時の各部の信号の説明図。
【図４】第１リレーが導通しないときの各部の信号の説明図。
【図５】第２リレーが導通しないときの各部の信号の説明図。
【図６】トライアックがショート故障しているときの各部の信号の説明図。
【図７】定着電源による給電処理を表すフローチャート。
【図８】第１リレーがリトライ動作で復帰するときの各部の信号の説明図。
【図９】第１リレーが復帰できなかったときの各部の信号の説明図。
【図１０】第２リレーがリトライ動作で復帰するときの各部の信号の説明図。
【図１１】第２リレーが復帰できなかったときの各部の信号の説明図。
【図１２】トライアックが故障しているときの各部の信号の説明図。
【図１３】ＡＣ／ＤＣ電源の説明図。
【図１４】正常動作時の各部の信号の説明図。
【図１５】第３リレーが導通しないときの各部の信号の説明図。
【図１６】第４リレーが導通しないときの各部の信号の説明図。
【図１７】ＡＣ／ＤＣ電源による給電処理を表すフローチャート。
【図１８】第３リレーがリトライ動作で復帰するときの各部の信号の説明図。
【図１９】第３リレーが復帰できなかったときの各部の信号の説明図。
【図２０】第４リレーがリトライ動作で復帰するときの各部の信号の説明図。
【図２１】第４リレーが復帰できなかったときの各部の信号の説明図。
【発明を実施するための形態】
【００１１】
本発明の電源装置について、図面を参照しながら説明する。
【００１２】
（画像形成装置の構成）
図１は、本実施形態の電源装置を採用した画像形成装置の構成図である。画像形成装置９００は、イエロー（ｙ）、マゼンタ（ｍ）、シアン（ｃ）、ブラック（ｋ）の各色によるフルカラーの画像をシート等の記録材９１３に形成する。
【００１３】
画像形成装置９００は、各色の画像を形成するために、各色に対応した画像形成部を備える。イエローの画像形成部は、感光ドラム９０１ｙ、一次帯電器９０２ｙ、露光器９０３ｙ、及び現像器９０４ｙを備える。他の色に対応する画像形成部も同様の構成である。感光ドラム９０１ｙは、図中反時計回りに回転しており、一次帯電器９０２ｙによって表面が均一に帯電される。感光ドラム９０１ｙは、均一に帯電された表面に露光器９０３ｙからレーザ光が照射される。これにより感光ドラム９０１ｙの表面に潜像画像が形成される。現像器９０４ｙは、イエローの現像剤により、感光ドラム９０１ｙの表面に形成された潜像画像を現像する。これにより感光ドラム９０１ｙの表面にイエローの画像が形成される。他の色に対応する画像形成部も、同様にして、対応する色の画像を感光ドラム９０１ｍ、９０１ｃ、９０１ｋに形成する。
【００１４】
画像形成装置９００は、感光ドラム９０１ｙ、９０１ｍ、９０１ｃ、９０１ｋから各色の画像が転写される中間転写ベルト９０６を備える。中間転写ベルト９０６を挟んで感光ドラム９０１ｙ、９０１ｍ、９０１ｃ、９０１ｋに対向する位置に、一次転写ローラ９０５ｙ、９０５ｍ、９０５ｃ、９０５ｋが設けられる。感光ドラム９０１ｙ、９０１ｍ、９０１ｃ、９０１ｋと、中間転写ベルト９０６とは接している。一次転写ローラ９０５ｙ、９０５ｍ、９０５ｃ、９０５ｋに電圧が印加されることで、感光ドラム９０１ｙ、９０１ｍ、９０１ｃ、９０１ｋから各色の画像が中間転写ベルト９０６に転写される。これにより中間転写ベルト９０６にフルカラーの画像が形成される。
【００１５】
画像形成装置９００は、中間転写ベルト９０６から記録材９１３へ画像を転写するために、２次転写内ローラ９０７及び２次転写外ローラ９０８を含む転写部を備える。中間転写ベルト９０６は、図中時計回りに回転しており、回転によりフルカラーの画像を転写部へ搬送する。中間転写ベルト９０６により画像が転写部に搬送されるタイミングに合わせて、記録材９１３が用紙カセット９１０から転写部へ搬送される。中間転写ベルト９０６及び記録材９１３は、２次転写内ローラ９０７と２次転写外ローラ９０８との間を挟まれて通過する。これにより中間転写ベルト９０６上の画像が、記録材９１３に転写される。
【００１６】
画像形成装置９００は、記録材９１３に転写された画像を定着させるための定着器７０１を備える。記録材９１３は、転写部から定着器７０１へ搬送される。定着器７０１は、ヒータを備え、記録材９１３を加熱及び加圧することで、記録材９１３に画像を定着させる。
【００１７】
画像形成装置９００は、これらの各構成要素を動作させるために、ＡＣ／ＤＣ電源２００及び定着電源３００を備える。ＡＣ／ＤＣ電源２００は、商用電源５００から供給される交流電圧を直流電圧へと変換し、画像形成装置９００内の各構成要素へ給電する。定着電源３００は、商用電源５００から供給される交流電圧を、定着器７０１内のヒータへ給電する。ＡＣ／ＤＣ電源２００、定着電源３００、及び画像形成装置９００の動作を制御する後述の制御部が、電源装置となる。
【００１８】
（定着電源）
図２は、定着電源３００の説明図である。定着電源３００は、制御部４００により動作が制御されて、定着器７０１内のヒータ７への給電を行う。制御部４００は、画像形成装置９００全体の動作の制御を行う。定着器７０１は、サーミスタ等の温度検知部ＴＨ１を内蔵する。定着電源３００は、第１リレー１、第２リレー２、ゼロクロス検知回路４０１、トライアックＴＲ１、トライアック正常検知回路６０１、及びコンデンサＣ１を備える。
【００１９】
第１リレー１及び第２リレー２は、定着電源３００における漏れ電流を抑制するために、商用電源５００からの電力の供給経路の両極に設けられる。第１リレー１は、商用電源５００の一方の極とヒータ７との間の電力の供給経路に設けられる開閉器の一例である。第２リレー２は、商用電源５００の他方の極とヒータ７との間の電力の供給経路に設けられる開閉器の一例である。第１リレー１及び第２リレー２は、制御部４００から入力されるリレー制御信号３、４に応じて開閉制御され、供給経路の各極を導通または遮断する。画像形成装置９００の省電力モードやスタンバイモード等のヒータ７への給電が不要な動作モードのときに、第１リレー１及び第２リレー２は遮断される。第１リレー１及び第２リレー２が遮断されることで、定着電源３００は、商用電源５００から切り離されて給電が停止される。なお、本実施形態では、各リレーを導通させるためのリレー制御信号３、４を「導通信号」、各リレーを遮断させるためのリレー制御信号３、４を「遮断信号」という。また、省電力モードは、画像形成が所定時間行われない場合に、装置内の一部を除いて電力供給を遮断することで、装置の消費電力を少なくする電力モードである。スタンバイモードは、電源オン後の初期化動作後や画像形成終了後から省電力モードになるまでの画像形成の開始を待機しているモードである。
【００２０】
導通信号が入力されているにもかかわらず第１リレー１及び第２リレー２のいずれか一方が異物混入により導通しない場合、導通しないリレー内の異物を除去するためにリトライ動作が行われる。制御部４００は、導通しないリレーを特定した後、他方のリレーを導通したままで、導通しないリレーに対して所定回数の遮断信号と導通信号の送信を繰り返すことでリトライ動作を行う。リトライ動作の詳細は後述する。
【００２１】
ゼロクロス検知回路４０１は、商用電源５００から供給される交流電圧に基づいて、ゼロクロス検知信号４０２を制御部４００へ送信する。商用電源５００に対して、ゼロクロス検知回路４０１は、一端が第１リレー１とヒータ７との間に接続され、他端が商用電源５００の極と第２リレー２との間に接続される。商用電源５００、第１リレー１、及びゼロクロス検知回路４０１により一つの回路が形成されるために、ゼロクロス検知回路４０１は、第１リレー１の導通検知を行うことができる。ゼロクロス検知信号４０２は、第１リレー１の導通検知結果を表す信号となる。
【００２２】
制御部４００は、ゼロクロス検知信号４０２の立ち上がりをトリガにして、定着器７０１の温度検知部ＴＨ１から温度検知結果を取得する。制御部４００は、取得した温度検知結果に基づいて、開閉装置であるトライアックＴＲ１のオン、オフを制御して、ヒータ７への通電制御を行う。これにより制御部４００は、定着器７０１の温度を一定となるように制御する。ヒータ７は、正常に給電されているときに所定の温度で一定に制御される。そのために制御部４００は、温度検知部ＴＨ１から取得する温度検知結果により、正常に、ヒータ７に電力が供給されていることを検知することができる。つまり温度検知部ＴＨ１は、電力の供給検知を行うことになる。
【００２３】
トライアック正常検知回路６０１は、トライアックＴＲ１に並列接続され、トライアックＴＲ１のショート故障の有無を検知する。トライアック正常検知回路６０１は、トライアックＴＲ１がオフのときに、ゼロクロス検知信号４０２と同様の波形のトライアック正常検知信号６０２を制御部４００へ送信する。トライアック正常検知回路６０１は、トライアックＴＲ１が故障してショート状態となっているときに、トライアック正常検知信号６０２を送信しない。
【００２４】
トライアックＴＲ１がショート故障する場合、第１リレー１及び第２リレー２が導通することで、制御部４００がトライアックＴＲ１を導通制御していないにもかかわらず、ヒータ７に給電されて定着器７０１が過昇温する。このような定着器７０１の不用意な過昇温を防止するために、トライアック正常検知回路６０１は、ショート故障の有無を検知する。
【００２５】
制御部４００は、トライアック正常検知回路６０１から送信されたトライアック正常検知信号６０２の検知結果及び温度検知部ＴＨ１の検知結果に基づいて、トライアックＴＲ１の故障の有無を判断する。トライアックＴＲ１に故障があると判断した場合、制御部４００は、第１リレー１及び第２リレー２にそれぞれ遮断信号を送信して、第１リレー１及び第２リレー２を遮断する。これにより、ヒータ７への給電が停止され、画像形成装置９００はエラーが発生したとして動作を停止する。
【００２６】
制御部４００は、ゼロクロス検知回路４０１及びトライアック正常検知回路６０１の検知結果に基づいて、第１リレー１及び第２リレー２の異物混入による導通不良の発生の判断を行う。制御部４００から第１リレー１及び第２リレー２に導通信号が送信された状態で、第１リレー１が異物混入で遮断し、第２リレー２が正常に導通する場合、ゼロクロス検知回路４０１に商用電源５００からの電圧が印加されない。この場合、ゼロクロス検知回路４０１は、ゼロクロス検知信号４０２を出力できない。そのために制御部４００は、ゼロクロス検知信号４０２が出力されていない場合に、第１リレー１が異物混入で遮断し、導通不良が発生していると判断する。
【００２７】
制御部４００から第１リレー１及び第２リレー２に導通信号が送信された状態で、第２リレー２が異物混入で遮断し、第１リレー１が正常に導通する場合、第１リレー１の導通によりゼロクロス検知回路４０１に商用電源５００からの電圧が印加される。そのためにゼロクロス検知回路４０１は、ゼロクロス検知信号４０２を出力する。第２リレー２が導通していないため、トライアックＴＲ１に電圧は印加されずトライアック正常検知信号６０２が出力されない。
【００２８】
制御部４００は、ゼロクロス検知信号４０２が出力され、トライアック正常検知信号６０２が出力されない状態で、定着器７０１の温度上昇がない場合に、第２リレー２が異物混入で遮断し、導通不良が発生していると判断する。制御部４００は、ゼロクロス検知信号４０２が出力され、トライアック正常検知信号６０２が出力されない状態で、定着器７０１の温度上昇がある場合に、上記のようにトライアックＴＲ１の故障と判断する。
【００２９】
（定着電源の動作）
図３は、正常動作時の、各部（第１リレー１、第２リレー２、及びトライアックＴＲ１）の信号の説明図である。正常動作時は、制御部４００から出力されるリレー制御信号３、４がそれぞれ導通信号となっており、第１リレー１及び第２リレー２がともに導通状態となる。トライアックＴＲ１は遮断状態であり、定着器７０１への給電が行われていない。そのために、ゼロクロス検知回路４０１からゼロクロス検知信号４０２が、トライアック正常検知回路６０１からトライアック正常検知信号６０２が、それぞれ制御部４００に送出される。定着器７０１の温度Ｔ１は変化しない。
【００３０】
画像形成装置９００の電源が投入された際には、制御部４００にはゼロクロス検知信号４０２及びトライアック正常検知信号６０２が入力される。この場合、制御部４００は、第１リレー１及び第２リレー２に故障が発生していないと判断し、定着器７０１の温度を所定温度にするためにトライアックＴＲ１が導通状態となるように制御を行ってヒータ７への給電を開始する。
【００３１】
図４は、第１リレー１が異物混入により遮断状態であるときの各部の信号の説明図である。この状態では、制御部４００から出力されるリレー制御信号３、４が導通信号である。しかしながら、ゼロクロス検知回路４０１は、第１リレー１が遮断状態であるためにゼロクロス検知信号４０２を送信できない。同様に、トライアック正常検知回路６０１は、トライアック正常検知信号６０２を送信できない状態となる。さらに、第１リレー１が遮断状態であるため、ヒータ７への通電が行われず、定着器７０１は温度Ｔ１のまま変化しない。
【００３２】
制御部４００は、ゼロクロス検知信号４０２を取得しない場合に第１リレー１が遮断状態であると判断し、第２リレー２を導通状態としたまま第１リレー１に対してリトライ動作を行う。リトライ動作は、第１リレー１に対して遮断と導通の動作を繰り返させることで行われる。リトライ動作により、第１リレー１の接点上の異物が跳ね飛ばされたり潰される。また第１リレー１内の接点同士が近接することでアーク放電が発生し、接点上の異物が焼損される。これにより、第１リレー１内の接点上の異物が除去され、接点間の導通が回復する可能性が高まる。
【００３３】
制御部４００は、第１リレー１に対してリトライ動作を所定回数行った後、ゼロクロス検知信号４０２の有無を判断する。ゼロクロス検知信号４０２を取得しない場合、制御部４００は、定着電源３００が故障したと判断する。この場合、制御部４００は、リレー制御信号３、４をともに遮断信号として、第１リレー１及び第２リレー２を遮断させる。制御部４００は、画像形成装置９００の不図示の表示部にエラー表示させる。
【００３４】
図５は、第２リレー２が異物混入により遮断状態であるときの各部の信号の説明図である。この状態では、制御部４００から出力されるリレー制御信号３、４が導通信号である。ゼロクロス検知回路４０１は、ゼロクロス検知信号４０２を送信する。トライアック正常検知回路６０１は、第２リレー２が遮断状態であるために通電せず、トライアック正常検知信号６０２を送信できない。ヒータ７が通電されないため、定着器７０１は温度Ｔ１のまま変化しない。
【００３５】
制御部４００は、ゼロクロス検知信号４０２を取得し、トライアック正常検知信号６０２を取得せず、温度Ｔ１が変化しないために、第１リレー１が正常に導通しており、第２リレー２が異物混入で遮断状態であると判断する。制御部４００は、第１リレー１を導通状態としたまま、第２リレー２に対してリトライ動作を行う。リトライ動作は、第２リレー２に対して遮断させた後直ちに導通させるようリレー制御信号を出力することで実行される。制御部４００は、第２リレー２に対してリトライ動作を所定回数行ってもトライアック正常検知信号６０２を取得しない場合に、定着電源３００が故障したと判断する。この場合、制御部４００は、リレー制御信号３、４を遮断信号として第１リレー１及び第２リレー２を遮断させる。制御部４００は、画像形成装置９００の表示部にエラー表示させる。
【００３６】
図６は、トライアックＴＲ１がショート故障したときの各部の信号の説明図である。この状態では、制御部４００から出力されるリレー制御信号３、４が導通信号である。ゼロクロス検知回路４０１は、ゼロクロス検知信号４０２を送信する。トライアック正常検知回路６０１は、トライアックＴＲ１がショート故障しているために、トライアック正常検知信号６０２を送信できない。ヒータ７は、通電されており、定着器７０１の温度が上昇する。
【００３７】
制御部４００は、ゼロクロス検知信号４０２を取得し、トライアック正常検知信号６０２を取得しない。制御部４００は、定着器７０１が所定時間後に所定以上温度上昇していれば、第１リレー１及び第２リレー２が正常に導通しており、トライアックＴＲ１がショート故障していると判断する。この場合、制御部４００は、リレー制御信号３、４をともに遮断信号にして第１リレー１及び第２リレー２を遮断させる。制御部４００は、画像形成装置９００の表示部にエラー表示させる。
【００３８】
（定着電源の給電処理）
図７は、定着電源３００による給電処理を表すフローチャートである。制御部４００は、定着器７０１のヒータ７を加熱する必要のある画像形成装置９００の動作開始時に、この処理を行う。この処理では、第１リレー１、第２リレー２、及び定着電源３００の異常判断が行われ、すべて正常であれば定着器７０１への給電が行われる。第１リレー１及び第２リレー２のいずれか一方に異常が発生する場合、リトライ動作が行われる。
【００３９】
制御部４００は、まず、リトライ動作回数をカウントするカウンタをリセットする（Ｓ８００）。制御部４００は、定着器７０１を加熱するためにリレー制御信号３、４を導通信号として送信するとともに、温度検知部ＴＨ１で測定した定着器７０１の温度を記憶する（Ｓ８０１）。
【００４０】
制御部４００は、第１リレー１の導通確認のために、ゼロクロス検知信号４０２を取得しているか否かを確認する（Ｓ８０２）。ゼロクロス検知信号４０２を取得していない場合（Ｓ８０２：N）、制御部４００は、第１リレー１が異物混入などで導通していないと判断し、第１リレー１のリトライ動作の回数が所定回数に達したか否かを確認する（Ｓ８０３）。
【００４１】
所定回数に達している場合（Ｓ８０３：Y）、制御部４００は、定着電源３００に故障が発生していると判断する。制御部４００は、リレー制御信号３、４を遮断信号として第１リレー１及び第２リレー２を遮断させ、画像形成装置９００の表示部にエラー表示を行い、処理を終了する（Ｓ８１２）。
所定回数に達していない場合（Ｓ８０３：N）、制御部４００は、第２リレー２を導通させたままで、第１リレー１へのリレー制御信号３を一旦遮断信号とした後に再度導通信号とするリトライ動作を行う（Ｓ８０４）。制御部４００は、リトライ動作を行った後、リトライ動作のカウント値を１カウントアップして（Ｓ８０５）、ステップＳ８０２の処理に戻る。
【００４２】
ゼロクロス検知信号４０２を取得した場合（Ｓ８０２：Y）、制御部４００は、第１リレー１が導通していると判断する。制御部４００は、第２リレー２及びトライアックＴＲ１の異常確認のために、トライアック正常検知信号６０２の取得の有無を確認する（Ｓ８０６）。トライアック正常検知信号６０２を取得した場合（Ｓ８０６：Y）、制御部４００は、第２リレー２及びトライアックＴＲ１が正常に動作していると判断する。制御部４００は、トライアックＴＲ１を制御し、定着器７０１の温度が所定温度となるようにヒータ７への給電制御を行い、処理を終了する（Ｓ８１３）。
【００４３】
トライアック正常検知信号６０２を取得していない場合（Ｓ８０６：N）、制御部４００は、所定時間経過後（Ｓ８０７：Y）に、ステップＳ８０１の処理で記憶した温度に対して定着器７０１の温度上昇があるか否かを確認する（Ｓ８０８）。温度が上昇している場合（Ｓ８０８：Y）、制御部４００は、トライアックＴＲ１がショート故障したと判断する。制御部４００は、定着電源３００に故障が発生していると判断し、リレー制御信号３、４を遮断信号として第１リレー１及び第２リレー２を遮断させ、画像形成装置９００の表示部にエラー表示を行い、処理を終了する（Ｓ８１２）。
【００４４】
定着器７０１の温度が上昇していない場合（Ｓ８０８：N）、制御部４００は、第２リレー２が導通していないと判断し、第２リレー２のリトライ動作の回数が所定回数に達したか否かを確認する（Ｓ８０９）。所定回数に達している場合（Ｓ８０９：Y）、制御部４００は、定着電源３００に故障が発生したと判断する。制御部４００は、リレー制御信号３、４を遮断信号として第１リレー１及び第２リレー２を遮断させ、画像形成装置９００の表示部にエラー表示を行い、処理を終了する（Ｓ８１２）。
【００４５】
所定回数に達していない場合（Ｓ８０９：N）、制御部４００は、第２リレー２へのリレー制御信号３を一旦遮断信号とした後に再度導通信号とするリトライ動作を行う（Ｓ８１０）。制御部４００は、リトライ動作を行った後、リトライ動作回数を１カウントアップして（Ｓ８１１）、ステップＳ８０６の処理に戻る。以上のように、定着電源３００は、定着器７０１への給電処理を行う。
【００４６】
（リトライ動作）
第１リレー１及び第２リレー２のリトライ動作について、詳細に説明する。なお、以下の説明では、リトライ動作の回数の上限は３回とする。制御部４００は、３回リトライ動作を行ってもリレーの導通が復帰しなかった場合に該リレーを異常と判断する。なお、１回のリトライ動作では、リレーが導通→遮断→導通→遮断となる或いは遮断→導通→遮断→導通となるように制御部４００が信号を出力するものとするが、この限りではない。
【００４７】
図８は、第１リレー１が異物混入により導通しておらず、２回目のリトライ動作により時刻ｔ５で復帰するときの各部の信号の説明図である。制御部４００は、時刻ｔ０において第１リレー１を導通させるためにリレー制御信号３を導通信号にし、時刻ｔ１において第２リレー２を導通させるためにリレー制御信号４を導通信号にする。制御部４００は、所定時間経過後もゼロクロス検知信号４０２を取得しないため、第１リレー１が異物混入で導通していないと判断する。制御部４００は、第１リレー１の導通を復活させるために、時刻ｔ２でリレー制御信号３を遮断信号にした後、時刻ｔ３で導通信号とする１回目のリトライ動作を行う。
【００４８】
第１リレー１の異物が除去できずに導通していない状態が継続するため、制御部４００は、ゼロクロス検知信号４０２を取得できない。そのために制御部４００は、第１リレー１の導通を復帰させるために、２回目のリトライ動作を時刻ｔ４、時刻ｔ５で行う。２回目のリトライ動作を行った後、制御部４００は、時刻ｔ６でゼロクロス検知信号４０２及びトライアック正常検知信号６０２を取得する。これにより制御部４００は、第１リレー１の異物が除去されて導通復帰したと判断する。その後、制御部４００は、定着器７０１の温度を所定温度まで上昇させるために、トライアックＴＲ１を制御してヒータ７への給電を行う。
【００４９】
図９は、第１リレー１が故障しておりリトライ動作で復帰できなかったときの各部の信号の説明図である。制御部４００は、時刻ｔ１０において第１リレー１を導通させるためにリレー制御信号３を導通信号にし、時刻ｔ１１において第２リレー２を導通させるためにリレー制御信号４を導通信号にする。制御部４００は、ゼロクロス検知信号４０２を取得しないため、第１リレー１が導通していないと判断する。制御部４００は、第１リレー１の導通を復活させるために、時刻ｔ１２、時刻ｔ１３で１回目のリトライ動作を行う。
【００５０】
制御部４００は、１回目のリトライ動作後もゼロクロス検知信号４０２を取得できないため、第１リレー１の導通が復帰できなかったと判断する。そのため制御部４００は、再度第１リレー１の導通を復帰させるために、２回目のリトライ動作を時刻ｔ１４、時刻ｔ１５で行う。制御部４００は、２回目のリトライ動作後もゼロクロス検知信号４０２を取得できないため、第１リレー１の導通が復帰できなかったと判断する。制御部４００は、３回目のリトライ動作を時刻ｔ１６、ｔ１７で行う。
【００５１】
制御部４００は、３回目のリトライ動作後の時刻ｔ１８においてゼロクロス検知信号４０２を取得できないため、定着電源３００が故障していると判断する。制御部４００は、リレー制御信号３、４を遮断信号にして第１リレー１、第２リレー２を遮断し、画像形成装置９００の表示部にエラー表示させる。
【００５２】
図１０は、第１リレー１が正常に動作し、第２リレー２が異物混入により導通しておらず、２回目のリトライ動作により時刻ｔ２５で復帰するときの各部の信号の説明図である。制御部４００は、時刻ｔ２０において第１リレー１を導通させるためにリレー制御信号３を導通信号にし、時刻ｔ２１において第２リレー２を導通させるためにリレー制御信号４を導通信号にする。
【００５３】
制御部４００は、所定時間経過後にゼロクロス検知信号４０２を取得するが、トライアック正常検知信号６０２を取得しない。また、定着器７０１の温度も上昇しないため、制御部４００は、第２リレー２が異物混入で導通していないと判断する。制御部４００は、第２リレー２の導通をリトライ動作で復帰させるために時刻ｔ２２でリレー制御信号４を遮断信号とした後、時刻ｔ２３でリレー制御信号４を導通信号とする１回目のリトライ動作を行う。
【００５４】
１回目のリトライ動作後もトライアック正常検知信号６０２を取得しないため、制御部４００は、第２リレー２の導通が復帰できなかったと判断する。そのために制御部４００は、第２リレー２の導通を復帰させるために、２回目のリトライ動作を時刻ｔ２４、時刻ｔ２５で行う。制御部４００は、時刻ｔ２５でトライアック正常検知信号６０２を取得することで第２リレー２が導通復帰したと判断する。制御部４００は、定着器７０１の温度を所定温度まで上昇させるために、トライアックＴＲ１を制御してヒータ７への給電を行う。
【００５５】
図１１は、第１リレー１が正常に動作し、第２リレー２が故障しておりリトライ動作で復帰できなかったときの各部の信号の説明図である。制御部４００は、時刻ｔ３０において第１リレー１を導通させるためにリレー制御信号３を導通信号にし、時刻ｔ３１において第２リレー２を導通させるためにリレー制御信号４を導通信号にする。ゼロクロス検知信号４０２を取得するがトライアック正常検知信号６０２を取得できないため、制御部４００は、第２リレー２が導通していないと判断する。制御部４００は、第１リレー１を導通状態としたまま、時刻ｔ３２、時刻ｔ３３で１回目のリトライ動作を行う。
【００５６】
制御部４００は、１回目のリトライ動作後もトライアック正常検知信号６０２を取得できないため、第２リレー２の導通が復帰できなかったと判断する。そのため制御部４００は、再度第２リレー２の導通を復帰させるために、２回目のリトライ動作を時刻ｔ３４、時刻ｔ３５で行う。制御部４００は、２回目のリトライ動作後もトライアック正常検知信号６０２を取得できないため、第２リレー２の導通が復帰できなかったと判断する。制御部４００は、３回目のリトライ動作を時刻ｔ３６、ｔ３７で行う。
【００５７】
制御部４００は、３回目のリトライ動作後の時刻ｔ３８においてトライアック正常検知信号６０２を取得できないため、定着電源３００が故障していると判断する。制御部４００は、リレー制御信号３、４を遮断信号にして第１リレー１及び第２リレー２を遮断し、画像形成装置９００の表示部にエラー表示させる。
【００５８】
図１２は、トライアックＴＲ１が故障しているときの各部の信号の説明図である。制御部４００は、時刻ｔ４０において第１リレー１を導通させるためにリレー制御信号３を導通信号にし、時刻ｔ４１において第２リレー２を導通させるためにリレー制御信号４を導通信号にする。
【００５９】
制御部４００は、ゼロクロス検知信号４０２を取得するがトライアック正常検知信号６０２を取得できない。また、定着器７０１が温度Ｔ１から温度Ｔ２（＞Ｔ１）に上昇している。そのために制御部４００は、第１リレー１及び第２リレー２が正常であり、トライアックＴＲ１がショート故障していると判断する。制御部４００は、時刻ｔ４２においてリレー制御信号３、４を遮断信号にして第１リレー１及び第２リレー２を遮断し、画像形成装置９００の表示部にエラー表示を行させる。
【００６０】
以上のように、制御部４００は、定着電源３００の商用電源５００の両極に設けられる第１リレー１及び第２リレー２のいずれかが異物の混入で導通しない場合に、導通しないリレーを特定することができる。定着電源３００は、商用電源５００に対して一端を第１リレー１の後段に、他端を第２リレー２の前段に接続されたゼロクロス検知回路４０１を備える。制御部４００は、ゼロクロス検知回路４０１からのゼロクロス検知信号４０２とトライアック正常検知回路６０１からのトライアック正常検知信号６０２とから、導通していないリレーを特定する。トライアック正常検知回路６０１も、温度検知部ＴＨ１同様に、電力の供給検知に用いられる。これにより、商用電源５００の両極に第１リレー１、第２リレー２を設けた場合にも、異常発生したリレーの特定を行うことができる。制御部４００は、異常発生したリレーに対してリトライ動作を行うことで、当該リレー内の異物除去して、画像形成装置９００を早期に復帰させることができる。
【００６１】
第１リレー１の異常検知は、第１リレー１のヒータ７側と第２リレー２の商用電源５００側との間に電圧が印加されていることを検知できる構成であれば、ゼロクロス検知回路４０１以外の構成であってもよい。
【００６２】
本実施形態では、トライアックＴＲ１に対して並列に実装したトライアック正常検知回路６０１を用いて、ヒータ７への通電を検知することで、負荷への電力の供給検知を行っている。この場合、トライアックＴＲ１が遮断状態である場合において第２リレー２の異常が検知できる。トライアックＴＲ１が通電状態で第２リレー２の異常を検知する必要がある場合、ヒータ７への通電の有無を判別できる他の電力供給検知のための構成を用いてもよい。例えば、電力供給検知のための構成として、ヒータ７に流れる電流を検知する電流検知回路や、ヒータ７に印可される電圧を検知する電圧検知回路を用いることができる。また、電力供給検知は、定着器７０１の温度上昇によりヒータ７への通電の有無を判別することで行ってもよい。
【００６３】
（ＡＣ／ＤＣ電源）
図１３は、ＡＣ／ＤＣ電源２００の説明図である。ＡＣ／ＤＣ電源２００は、定着電源３００の第１リレー１、第２リレー２、及びゼロクロス検知回路４０１と同様の構成の、第３リレー１０１、第４リレー１０２、及びゼロクロス検知回路５０１を備える。ＡＣ／ＤＣ電源２００は、商用電源５００から供給される交流電圧を整流するダイオードブリッジＤＡ１、ダイオードブリッジＤＡ１の出力側に接続されるコンバータ部２１０、及びコンバータ制御回路２１１を含む。コンバータ制御回路２１１は、コンバータ部２１０の出力電圧Ｖｏｕｔが所定の値（電圧Ｖ１）となるようにコンバータ制御回路２１１のスイッチング素子Ｑ１の開閉制御を行う。ＡＣ／ＤＣ電源２００は、出力電圧Ｖｏｕｔを負荷８に供給する。
【００６４】
第３リレー１０１、第４リレー１０２は、ＡＣ／ＤＣ電源２００が動作しないときの漏れ電流を抑制するために、商用電源５００からの電力の供給経路の両極に設けられる。
第３リレー１０１は、商用電源５００の一方の極と負荷８との間の電力の供給経路に設けられる開閉器の一例である。第４リレー１０２は、商用電源５００の他方の極と負荷８との間の電力の供給経路に設けられる開閉器の一例である。第３リレー１０１及び第４リレー１０２は、制御部４００から入力されるリレー制御信号１０３、１０４に応じて開閉制御され、供給経路の各極を導通または遮断する。
【００６５】
ＡＣ／ＤＣ電源２００は、画像形成装置９００の動作モードによって出力電圧Ｖｏｕｔを出力するか否かが決定される。出力電圧Ｖｏｕｔを出力しない動作モード（例えば省電力モード）のときに、第３リレー１０１及び第４リレー１０２は遮断される。制御部４００は、画像形成装置９００の動作モードにかかわらず動作する必要がある。そのために制御部４００は、画像形成装置９００が商用電源５００と接続されている状態において常に給電を行うように設定された電源（不図示）から電力が供給される。
【００６６】
リレー制御信号１０３、１０４が導通信号であり第３リレー１０１及び第４リレー１０２のいずれか一方が異物混入により導通しない場合、導通しないリレーにおける異物除去のためのリトライ動作が行われる。リトライ動作は、定着電源３００で説明した上記の動作と同様である。
【００６７】
ＡＣ／ＤＣ電源２００の出力電圧Ｖｏｕｔは、負荷８に供給されるとともに、制御部４００に入力される。制御部４００は、取得した出力電圧Ｖｏｕｔにより、負荷８に電力が供給されていることを検知する。ゼロクロス検知回路５０１は、第３リレー１０１が導通しているときに、商用電源５００からの交流電圧に基づくゼロクロス検知信号５０２を制御部４００へ送信する。
【００６８】
制御部４００は、ゼロクロス検知信号５０２の検知結果と出力電圧Ｖｏｕｔとから第３リレー１０１及び第４リレー１０２の導通状態を判断する。そのためにゼロクロス検知回路５０１は、商用電源５００に対して第３リレー１０１の後段側と第４リレー１０２の前段側との間に接続される。第３リレー１０１が異物混入で導通していない場合、ゼロクロス検知回路５０１に商用電源５００からの電圧が印加されないため、ゼロクロス検知信号５０２は出力されない。制御部４００は、リレー制御信号１０３、１０４がそれぞれ導通信号でゼロクロス検知信号５０２が出力されていない場合に、第３リレー１０１が異物混入で導通していないと判断し、第３リレー１０１に対してリトライ動作を行う。
【００６９】
第３リレー１０１が導通している状態では、ゼロクロス検知回路５０１に商用電源５００からの電圧が印加されるため、ゼロクロス検知信号５０２が出力される。しかし、出力電圧Ｖｏｕｔが出力されない場合、制御部４００は、第３リレー１０１が導通し、第４リレー１０２が異物混入で遮断状態であると判断し、第４リレー１０２に対してリトライ動作を行う。
【００７０】
（ＡＣ／ＤＣ電源の動作）
図１４は、正常動作時の各部の信号の説明図である。リレー制御信号１０３、１０４がともに導通信号となっており、第３リレー１０１及び第４リレー１０２がともに導通状態となる。ゼロクロス検知回路５０１からゼロクロス検知信号５０２が制御部４００へ送出される。また、出力電圧Ｖｏｕｔも所定の電圧Ｖ１で出力される。
【００７１】
図１５は、第３リレー１０１が異物混入により遮断状態であるときの各部の信号の説明図である。この状態では、制御部４００から出力されるリレー制御信号１０３、１０４がそれぞれ導通信号である。しかしながら、ゼロクロス検知回路５０１は、第３リレー１０１が遮断状態であるためにゼロクロス検知信号５０２を送信できない。また出力電圧Ｖｏｕｔも出力されない。この場合、制御部４００は、第３リレー１０１が導通していないと判断する。
【００７２】
制御部４００は、第４リレー１０２を導通状態としたまま第３リレー１０１に対してリトライ動作を行う。すなわち制御部４００は、リレー制御信号１０３を一旦遮断信号とした後に再度導通信号とする。リトライ動作後に出力電圧Ｖｏｕｔが出力された場合、制御部４００は、第３リレー１０１の導通が回復したと判断する。制御部４００は、ＡＣ／ＤＣ電源２００の出力に接続されている負荷８への給電を行う。リトライ動作を所定回数行っても出力電圧Ｖｏｕｔが出力されない場合、制御部４００は、ＡＣ／ＤＣ電源２００が故障したと判断する。この場合、制御部４００は、リレー制御信号１０３、１０４をともに遮断信号として第３リレー１０１及び第４リレー１０２を遮断させ、画像形成装置９００の表示部にエラー表示を行う。
【００７３】
図１６は、第４リレー１０２が異物混入で遮断状態であるときの各部の信号の説明図である。この状態では、制御部４００から出力されるリレー制御信号１０３、１０４が導通信号である。ゼロクロス検知回路５０１は、ゼロクロス検知信号５０２を送信する。出力電圧Ｖｏｕｔは出力されない。そのために制御部４００は、第４リレー１０２が導通していない状態であると判断する。
【００７４】
制御部４００は、第３リレー１０１を導通状態としたままで第４リレー１０２に対してリトライ動作を行うために、リレー制御信号１０４を一旦遮断信号とした後に再度導通信号とする。制御部４００は、リトライ動作後に出力電圧Ｖｏｕｔが出力された場合は負荷８への給電を行わせる。所定回数リトライ動作を行っても出力電圧Ｖｏｕｔが出力されない場合、制御部４００は、ＡＣ／ＤＣ電源２００が故障したと判断する。この場合、制御部４００は、リレー制御信号１０３、１０４を遮断信号として第３リレー１０１及び第４リレー１０２を遮断させ、画像形成装置９００の表示部にエラー表示を行う。
【００７５】
（ＡＣ／ＤＣ電源の給電処理）
図１７は、ＡＣ／ＤＣ電源２００による給電処理を表すフローチャートである。制御部４００は、画像形成装置９００がＡＣ／ＤＣ電源２００の出力を行う動作モード、例えば画像形成時にこの処理を行う。この処理では、第３リレー１０１、第４リレー１０２、及びＡＣ／ＤＣ電源２００の異常判断が行われ、すべて正常であれば負荷８への給電が行われる。第３リレー１０１及び第４リレー１０２のいずれか一方に異常が発生する場合、リトライ動作が行われる。
【００７６】
制御部４００は、まず、リトライ動作回数をカウントするカウンタをリセットする（Ｓ９００）。制御部４００は、ＡＣ／ＤＣ電源２００に接続されている負荷８に給電するためにリレー制御信号１０３、１０４を導通信号として第３リレー１０１及び第４リレー１０２へ送信する（Ｓ９０１）。
【００７７】
制御部４００は、第３リレー１０１の導通確認のために、ゼロクロス検知信号５０２を取得しているか否かを確認する（Ｓ９０２）。ゼロクロス検知信号５０２を取得していない場合（Ｓ９０２：N）、制御部４００は、第３リレー１０１が異物混入などで導通していないと判断し、第３リレー１０１のリトライ動作の回数が所定回数に達したか否かを確認する（Ｓ９０３）。
【００７８】
所定回数に達している場合（Ｓ９０３：Y）、制御部４００は、ＡＣ／ＤＣ電源２００に故障が発生していると判断する。制御部４００は、リレー制御信号１０３、１０４を遮断信号として第３リレー１０１及び第４リレー１０２を遮断させ、画像形成装置９００の表示部にエラー表示を行い処理を終了する（Ｓ９１１）。
所定回数に達していない場合（Ｓ９０３：N）、制御部４００は、第４リレー１０２を導通させたままで、第３リレー１０２へのリレー制御信号１０３を一旦遮断信号とした後に再度導通信号とするリトライ動作を行う（Ｓ９０４）。制御部４００は、リトライ動作を行った後、リトライ動作のカウント値を１カウントアップして（Ｓ９０５）、ステップＳ９０２に戻る。
【００７９】
ゼロクロス検知信号５０２を取得した場合（Ｓ９０２：Y）、制御部４００は、第３リレー１０１が導通していると判断する。制御部４００は、第２リレー１０２の異常確認のために、出力電圧Ｖｏｕｔが所定電圧以上であるか否かを確認する（Ｓ９０６）。
【００８０】
出力電圧Ｖｏｕｔが所定電圧以上である場合（Ｓ９０６：Y）、制御部４００は、第２リレー１０２及びコンバータ部２１０が正常で、ＡＣ／ＤＣ電源２００が正常に動作していると判断する。制御部４００は、出力電圧Ｖｏｕｔを、ＡＣ／ＤＣ電源２００に接続されている負荷８に給電する（Ｓ９１０）。
【００８１】
出力電圧Ｖｏｕｔが所定値未満である場合（Ｓ９０６：N）、制御部４００は、第４リレー１０２が導通していないと判断する。この場合、制御部４００は、第４リレー１０２のリトライ動作の回数が所定回数に達したか否かを確認する（Ｓ９０７）。第４リレー１０２のリトライ動作の回数が所定回数に達している場合（Ｓ９０７：Y）、制御部４００は、ＡＣ／ＤＣ電源２００が故障していると判断する。制御部４００は、リレー制御信号１０３、１０４を遮断信号として第３リレー１０１及び第４リレー１０２を遮断させ、画像形成装置の表示部にエラー表示を行い処理を終了する（Ｓ９１１）。
【００８２】
所定回数に達していない場合（Ｓ９０７：N）、制御部４００は、第３リレー１０１を導通したままで第４リレー１０２のリトライ動作を行う（Ｓ９０８）。制御部４００は、リトライ動作を行った後、リトライ動作回数を１カウントアップして（Ｓ９０９）、ステップＳ９０６の処理に戻る。以上のように、ＡＣ／ＤＣ電源２００は、後段の負荷８への給電処理を行う。
【００８３】
（リトライ動作）
第３リレー１０１及び第４リレー１０２のリトライ動作について、詳細に説明する。なお、以下の説明では、リトライ動作の回数の上限は３回とする。制御部４００は、３回リトライ動作を行ってもリレーの導通が復帰しなかった場合に該リレーを異常と判断する。
【００８４】
図１８は、第３リレー１０１が異物が混入により導通しておらず、２回目のリトライ動作により時刻ｔ５５で復帰するときの各部の信号の説明図である。制御部４００は、時刻０でＡＣ／ＤＣ電源２００が動作する動作モードとなる。ＡＣ／ＤＣ電源２００へ接続されている負荷８に給電するために、時刻ｔ５０において第３リレー１０１を導通させるためにリレー制御信号１０３を導通信号にし、時刻ｔ５１において第４リレー１０２を導通させるためにリレー制御信号１０４を導通信号にする。制御部４００は、所定時間経過後もゼロクロス検知信号５０２を取得しないため、第３リレー１０１が異物混入で導通していないと判断する。制御部４００は、第３リレー１０１の導通を復活させるために、時刻ｔ５２でリレー制御信号１０３を遮断信号にした後、時刻ｔ５３で導通信号とする１回目のリトライ動作を行う。
【００８５】
第３リレー１０１の異物が除去できずに導通していない状態が継続するため、制御部４００は、ゼロクロス検知信号５０２を取得できない。そのために制御部４００は、第３リレー１０１の導通を復帰させるために、２回目のリトライ動作を時刻ｔ５４、時刻ｔ５５で行う。２回目のリトライ動作を行った後、制御部４００は、時刻ｔ５５でゼロクロス検知信号５０２及び出力電圧Ｖｏｕｔを取得する。これにより制御部４００は、第３リレー１０１の異物が除去されて導通復帰したと判断する。その後、制御部４００は、ＡＣ／ＤＣ電源２００から負荷８への給電を行う。
【００８６】
図１９は、第４リレー１０２が正常に動作し、第３リレー１０１が故障しておりリトライ動作で復帰できなかったときの各部の信号の説明図である。制御部４００は、時刻ｔ６０において第３リレー１０１を導通させるためにリレー制御信号１０３を導通信号にし、時刻ｔ６１において第４リレー１０２を導通させるためにリレー制御信号１０４を導通信号にする。制御部４００は、ゼロクロス検知信号５０２を取得しないため、第３リレー１０１が導通していないと判断する。制御部４００は、第３リレー１０１の導通を復活させるために、時刻ｔ６２、時刻ｔ６３で１回目のリトライ動作を行う。
【００８７】
制御部４００は、１回目のリトライ動作後もゼロクロス検知信号５０２を取得できないため、第３リレー１０１の導通が復帰できなかったと判断する。そのため制御部４００は、再度第３リレー１０１の導通を復帰させるために、２回目のリトライ動作を時刻ｔ６４、時刻ｔ６５で行う。制御部４００は、２回目のリトライ動作後もゼロクロス検知信号５０２を取得できないため、第３リレー１０１の導通が復帰できなかったと判断する。制御部４００は、３回目のリトライ動作を時刻ｔ６６、ｔ６７で行う。
【００８８】
制御部４００は、３回目のリトライ動作後の時刻ｔ６８においてゼロクロス検知信号５０２を取得できないため、ＡＣ／ＤＣ電源２００が故障していると判断する。制御部４００は、リレー制御信号１０３、１０４を遮断信号にして第３リレー１０１、第４リレー１０２を遮断し、画像形成装置９００の表示部にエラー表示させる。
【００８９】
図２０は、第３リレー１０１が正常に動作し、第４リレー１０２が異物混入により導通しておらず、２回目のリトライ動作により時刻ｔ７５で復帰するときの各部の信号の説明図である。制御部４００は、時刻ｔ７０において第３リレー１０１を導通させるためにリレー制御信号１０３を導通信号にし、時刻ｔ７１において第４リレー１０２を導通させるためにリレー制御信号１０４を導通信号にする。
【００９０】
制御部４００は、所定時間経過後にゼロクロス検知信号５０２を取得するが、出力電圧Ｖｏｕｔを取得しない。そのために制御部４００は、第４リレー１０２が異物混入で導通していないと判断する。制御部４００は、第４リレー１０２の導通をリトライ動作で復帰させるために時刻ｔ７２でリレー制御信号１０４を遮断信号とした後、時刻ｔ７３でリレー制御信号１０４を導通信号とする１回目のリトライ動作を行う。
【００９１】
１回目のリトライ動作後も出力電圧Ｖｏｕｔを取得しないため、制御部４００は、第４リレー１０２の導通が復帰できなかったと判断する。そのために制御部４００は、第４リレー１０２の導通を復帰させるために、２回目のリトライ動作を時刻ｔ７４、時刻ｔ７５で行う。制御部４００は、時刻ｔ７５で出力電圧Ｖｏｕｔを取得することで第４リレー１０２が導通復帰したと判断する。制御部４００は、ＡＣ／ＤＣ電源２００から負荷８への給電を行う。
【００９２】
図２１は、第３リレー１０１が正常に動作し、第４リレー１０２が故障しておりリトライ動作で復帰できなかったときの各部の信号の説明図である。制御部４００は、時刻ｔ８０において第３リレー１０１を導通させるためにリレー制御信号１０３を導通信号にし、時刻ｔ８１において第４リレー１０２を導通させるためにリレー制御信号１０４を導通信号にする。ゼロクロス検知信号５０２を取得するが出力電圧Ｖｏｕｔを取得できないため、制御部４００は、第４リレー１０２が導通していないと判断する。制御部４００は、第３リレー１０１を導通状態としたまま、時刻ｔ８２、時刻ｔ８３で１回目のリトライ動作を行う。
【００９３】
制御部４００は、１回目のリトライ動作後も出力電圧Ｖｏｕｔを取得できないため、第４リレー１０２の導通が復帰できなかったと判断する。そのため制御部４００は、再度第４リレー１０２の導通を復帰させるために、２回目のリトライ動作を時刻ｔ８４、時刻ｔ８５で行う。制御部４００は、２回目のリトライ動作後も出力電圧Ｖｏｕｔを取得できないため、第４リレー１０２の導通が復帰できなかったと判断する。制御部４００は、３回目のリトライ動作を時刻ｔ８６、ｔ８７で行う。
【００９４】
制御部４００は、３回目のリトライ動作後の時刻ｔ８８において出力電圧Ｖｏｕｔを取得できないため、ＡＣ／ＤＣ電源２００が故障していると判断する。制御部４００は、リレー制御信号１０３、１０４を遮断信号にして第３リレー１０１及び第４リレー１０２を遮断し、画像形成装置９００の表示部にエラー表示させる。
【００９５】
以上のように、制御部４００は、ＡＣ／ＤＣ電源２００に実装された第３リレー１０１、１０２に異物が混入して導通できない状態であっても、導通しないリレーを特定できる。ＡＣ／ＤＣ電源２００は、商用電源５００に対して一端を第３リレー１０１の後段に、他端を第４リレー１０２の前段に接続されたゼロクロス検知回路５０１を備える。制御部４００は、ゼロクロス検知回路５０１からのゼロクロス検知信号５０２と負荷８への出力電圧Ｖｏｕｔとから、導通していないリレーを特定する。制御部４００は、特定したリレーに対してリトライ動作を行うことで、当該リレー内の異物除去を行い、画像形成装置９００を早期に復帰させることができる。
【００９６】
第３リレー１０１の異常検知は、第３リレー１０１の負荷８側と第４リレー１０２の商用電源５００側との間に電圧が印加されていることを検知できる構成であれば、ゼロクロス検知回路５０１以外の構成であってもよい。
負荷８への電力供給の検知は、負荷８への通電が判別できる構成であれば、出力電圧Ｖｏｕｔを検知する構成に限らない。例えば、負荷８への電力供給検知は、ダイオードブリッジＤＡ１による整流後の電圧を検知する構成などを用いてもよい。
また、上述した実施形態では、１回のリトライ動作では、遮断と導通を1回ずつ行う様にリレー制御信号が出力されているが、１回のリトライ動作で遮断と導通を複数回行うようなリレー制御信号としてもよい。
【図１】
2018181643.tif 000003
【図２】
2018181643.tif 000004
【図３】
2018181643.tif 000005
【図４】
2018181643.tif 000006
【図５】
2018181643.tif 000007
【図６】
2018181643.tif 000008
【図７】
2018181643.tif 000009
【図８】
2018181643.tif 000010
【図９】
2018181643.tif 000011
【図１０】
2018181643.tif 000012
【図１１】
2018181643.tif 000013
【図１２】
2018181643.tif 000014
【図１３】
2018181643.tif 000015
【図１４】
2018181643.tif 000016
【図１５】
2018181643.tif 000017
【図１６】
2018181643.tif 000018
【図１７】
2018181643.tif 000019
【図１８】
2018181643.tif 000020
【図１９】
2018181643.tif 000021
【図２０】
2018181643.tif 000022
【図２１】
2018181643.tif 000023